(57)【要約】【課題】視聴希望者が残っているコンテンツを削除することなくストレージ空き容量を増加させることができるようにする。【解決手段】コンテンツ品質変換部１０８が削除要求入力部１０２によって入力された視聴希望者の削除要求をコンテンツ毎に参照して、残りの視聴希望者の中で最も高い希望品質となるように該当コンテンツの品質を変換し、各視聴希望者の削除要求を逐次反映させて該当コンテンツの容量を削減するようにして、各視聴希望者に対してコンテンツを保護することができるとともに、コンテンツ保存に必要なストレージ量を削減することができるようにする。【選択図】図１
2007300186.tif 000002
【特許請求の範囲】
【請求項１】
視聴を希望するコンテンツ及び前記コンテンツの視聴を希望する視聴者の情報からなる視聴希望者情報を入力する視聴希望入力手段と、
前記コンテンツに対して視聴者の削除要求を含む削除要求者情報を入力する削除要求入力手段と、
前記視聴を希望するコンテンツに対して視聴者の希望品質を含む希望品質情報を入力する希望品質入力手段と、
前記視聴希望入力手段によって入力された視聴希望者情報で指定されるコンテンツを、前記コンテンツに対する視聴者の希望品質を基に取得するコンテンツ取得手段と、
前記コンテンツ取得手段によって取得されたコンテンツの品質を、前記希望品質情報、視聴希望者情報及び削除要求者情報を参照して、前記コンテンツを視聴していない視聴者の希望品質に応じて変換するコンテンツ品質変換手段と、
前記コンテンツ取得手段によって取得されたコンテンツを出力するコンテンツ出力手段とを有することを特徴とするコンテンツ視聴装置。
【請求項２】
前記視聴を希望するコンテンツの視聴情報を入力するコンテンツ入力手段と、
前記視聴コンテンツ入力手段によって入力された視聴情報と、前記コンテンツ取得手段によって取得されたコンテンツとを基に視聴者毎の再生位置情報を取得する再生位置取得手段とを有し、
前記再生位置取得手段において取得された再生位置情報に基に、前記コンテンツ品質変換手段は、前記再生位置情報、希望品質情報、視聴希望者情報及び削除要求者情報を参照して各コンテンツの部分毎の品質を、該当部分を視聴していない視聴者の中で最も高い品質を希望している品質に変換することを特徴とする請求項１に記載のコンテンツ視聴装置。
【請求項３】
視聴を希望するコンテンツ及び前記コンテンツの視聴を希望する視聴者の情報からなる視聴希望者情報を入力する視聴希望入力工程と、
前記コンテンツに対して視聴者の削除要求を含む削除要求者情報を入力する削除要求入力工程と、
前記視聴を希望するコンテンツに対して視聴者の希望品質を含む希望品質情報を入力する希望品質入力工程と、
前記視聴希望入力工程において入力された視聴希望者情報で指定されるコンテンツを、前記コンテンツに対する視聴者の希望品質を基に取得するコンテンツ取得工程と、
前記コンテンツ取得工程において取得されたコンテンツの品質を、前記希望品質情報、視聴希望者情報及び削除要求者情報を参照して、前記コンテンツを視聴していない視聴者の希望品質に応じて変換するコンテンツ品質変換工程と、
前記コンテンツ取得工程において取得されたコンテンツを出力するコンテンツ出力工程とを有することを特徴とするコンテンツ視聴装置の制御方法。
【請求項４】
前記視聴を希望するコンテンツの視聴情報を入力するコンテンツ入力工程と、
前記視聴コンテンツ入力工程において入力された視聴情報と、前記コンテンツ取得工程において取得されたコンテンツとを基に視聴者毎の再生位置情報を取得する再生位置取得工程とを有し、
前記再生位置取得工程において取得された再生位置情報に基に、前記コンテンツ品質変換工程においては、前記再生位置情報、希望品質情報、視聴希望者情報及び削除要求者情報を参照して各コンテンツの部分毎の品質を、該当部分を視聴していない視聴者の中で最も高い品質を希望している品質に変換することを特徴とする請求項３に記載のコンテンツ視聴装置の制御方法。
【請求項５】
視聴を希望するコンテンツ及び前記コンテンツの視聴を希望する視聴者の情報からなる視聴希望者情報を入力する視聴希望入力工程と、
前記コンテンツに対して視聴者の削除要求を含む削除要求者情報を入力する削除要求入力工程と、
前記視聴を希望するコンテンツに対して視聴者の希望品質を含む希望品質情報を入力する希望品質入力工程と、
前記視聴希望入力工程において入力された視聴希望者情報で指定されるコンテンツを、前記コンテンツに対する視聴者の希望品質を基に取得するコンテンツ取得工程と、
前記コンテンツ取得工程において取得されたコンテンツの品質を、前記希望品質情報、視聴希望者情報及び削除要求者情報を参照して、前記コンテンツを視聴していない視聴者の希望品質に応じて変換するコンテンツ品質変換工程と、
前記コンテンツ取得工程において取得されたコンテンツを出力するコンテンツ出力工程とを有するコンテンツ視聴装置の制御方法をコンピュータに実行させることを特徴とするプログラム。
【請求項６】
請求項５に記載のプログラムを記録したことを特徴とするコンピュータ読み取り可能な記録媒体。
【発明の詳細な説明】
【技術分野】
【０００１】
本発明はコンテンツ視聴装置、コンテンツ視聴装置の制御方法、プログラム及び記録媒体に関し、特に、コンテンツ品質を管理するために用いて好適な技術に関する。
【背景技術】
【０００２】
従来、複数の視聴者がコンテンツを視聴する場合に、個々のユーザが録画した録画番組を保護するとともに、ユーザ間における録画番組の共有、共有録画番組の削除、ダビング、編集を実現させるビデオ録画再生装置がある（例えば、特許文献１参照）。このビデオ録画再生装置では、録画番組毎に録画者情報及び共有視聴者リスト情報を保持し、録画者情報または共有視聴者リスト情報で指定される視聴者にのみ該当番組の共有・削除・ダビング・編集を許可する。
【０００３】
また、録画装置を使用する視聴者のリスト情報を保持し、各利用者に対して録画装置内に保持される各コンテンツが削除可能かを入力させる手段を持つ録画システムがある（例えば、特許文献２参照）。この録画システムでは、各コンテンツを削除しても良いか否かの判断が容易になる。これにより、各コンテンツに対してリストに保持される全利用者からの削除許可が与えられていれば該当コンテンツを削除しても安全であると判断できるので、各コンテンツを保護することができるとともにコンテンツを速やかに削除することができる。
【０００４】
【特許文献１】特開２００５−２０３５６号公報
【特許文献２】特開２００５−５７６３７号公報
【発明の開示】
【発明が解決しようとする課題】
【０００５】
従来のコンテンツ視聴装置において、１つのコンテンツ視聴装置を複数の視聴者が利用する場合、従来のコンテンツ視聴装置では複数のユーザに対するコンテンツの管理手段を備えていなかった。このため、任意のコンテンツに対する視聴希望者が残っているにも拘らず、他の視聴者によって該当コンテンツが削除されることがあるという問題点があった。
【０００６】
前述の問題点が起こらないようにするためには視聴者間で確認をとって各コンテンツの削除を行わなければならない。このため、任意のコンテンツに対して複数の視聴者が不要と判断しても、一人でも視聴希望者が残っていればコンテンツを削除することができず、ストレージ空き容量を増加させることができないという問題点があった。
【０００７】
このような問題点に対して、各コンテンツの録画者情報及び共有視聴者リスト情報を保持し、録画者情報または共有視聴者リスト情報で指定される視聴者にのみ該当コンテンツの共有・削除・ダビング・編集を許可する手法があった。この手法では、個々のユーザが録画した録画番組を保護する。
【０００８】
しかしながら、前記の手法ではコンテンツの削除が制限されることにより、一部の視聴希望者が任意のコンテンツの視聴を終えてもコンテンツが削除されるまではコンテンツは保存され続けることになってしまう。このため、この手法においてもストレージ空き容量を増加することができなかった。
【０００９】
また、録画装置を使用する視聴者のリストを保持し、各コンテンツに対して全視聴者からの削除許可情報を管理することによって、各コンテンツを保護しつつ速やかにコンテンツを削除する手法があった。
【００１０】
しかしながら、前記の手法でもコンテンツに対して全ての利用者から削除許可が揃うまではコンテンツは削除されなかった。このため、削除許可が揃うまでの個々の利用者の削除許可はストレージ空き容量の増加に寄与せず、この手法においてもストレージ空き容量を増加することができなかった。
【００１１】
本発明は前述の問題点に鑑み、視聴希望者が残っているコンテンツを削除することなくストレージ空き容量を増加させることができるようにすることを目的としている。
【課題を解決するための手段】
【００１２】
本発明のコンテンツ視聴装置は、視聴を希望するコンテンツ及び前記コンテンツの視聴を希望する視聴者の情報からなる視聴希望者情報を入力する視聴希望入力手段と、前記コンテンツに対して視聴者の削除要求を含む削除要求者情報を入力する削除要求入力手段と、前記視聴を希望するコンテンツに対して視聴者の希望品質を含む希望品質情報を入力する希望品質入力手段と、前記視聴希望入力手段によって入力された視聴希望者情報で指定されるコンテンツを、前記コンテンツに対する視聴者の希望品質を基に取得するコンテンツ取得手段と、前記コンテンツ取得手段によって取得されたコンテンツの品質を、前記希望品質情報、視聴希望者情報及び削除要求者情報を参照して、前記コンテンツを視聴していない視聴者の希望品質に応じて変換するコンテンツ品質変換手段と、前記コンテンツ取得手段によって取得されたコンテンツを出力するコンテンツ出力手段とを有することを特徴とする。
【発明の効果】
【００１３】
本発明によれば、視聴者の希望品質に応じてコンテンツの品質を変換するようにしたので、視聴希望者が残っているコンテンツを削除することなくストレージ空き容量を増加させるようにすることができる。
【発明を実施するための最良の形態】
【００１４】
（第１の実施形態）
以下、本発明の実施形態について図面を参照しながら説明する。
図１は、本実施形態におけるコンテンツ視聴装置の機能構成例を示すブロック図である。
図１のコンテンツ視聴装置１００において、視聴希望入力部１０１は視聴者毎の視聴希望者情報をコンテンツ管理情報記憶部１０４に対して入力する。ここで視聴希望者情報にはコンテンツ視聴装置１００に保持されているコンテンツ情報、テレビ放送により放映される予定のコンテンツ情報、またはネットワーク上に存在するコンテンツの情報と視聴希望者の情報とを含むものとする。削除要求入力部１０２は、任意コンテンツに対する削除要求者情報をコンテンツ管理情報記憶部１０４に対して入力する。
【００１５】
希望品質入力部１０３は、コンテンツ管理情報記憶部１０４に対して各視聴者の望むコンテンツ品質情報を入力する。ここで、コンテンツ品質情報にはコンテンツに含まれる音声又は映像等のビットレート、フレームレート、解像度のいずれか１つ以上が含まれている。コンテンツ管理情報記憶部１０４は前記コンテンツ品質情報を視聴者毎に保持している。そして、視聴者が各視聴希望コンテンツに対して同じ希望品質を設定するか、各視聴希望コンテンツに対してそれぞれ異なる希望品質を設定するか、両方を併用して設定するかのいずれかの方法により設定される。
【００１６】
コンテンツ管理情報記憶部１０４は、視聴希望者情報と、削除要求者情報と、希望品質情報とを記憶する。これらの情報の管理例を図３に示す。図３に示す例では、各コンテンツのリストに対して視聴希望者、削除要求、希望品質をそれぞれ保持している。なお、本実施形態では希望品質はHigh，Middle，Lowがそれぞれ任意のビットレート、フレームレート、解像度に関連付けられており、品質の順位はHigh＞Middle＞Lowとなっているものとする。例えば、図３に示すようにcontent１に対してはuserＡ及びuserＣが視聴を希望しており、希望品質はuserＡがMiddle品質、userＣがLow品質を希望している。また、useＡは既にcontent１の削除要求を出している。
【００１７】
コンテンツ取得部１０６は、コンテンツ管理情報記憶部１０４に保持される視聴希望者情報で指定される任意のコンテンツを、ユーザ毎の希望品質情報に基づく品質で放送局２００からテレビ放送を録画することによって取得する。またはネットワーク上のサーバ３００からのダウンロードによって取得する。そして、コンテンツ記憶部１０９に入力する。
【００１８】
具体的には、コンテンツ毎の視聴希望者の中で最も高い希望品質のビットレート、フレームレート、解像度で放送局２００からのテレビ放送を録画する。または前記のビットレート、フレームレート、解像度に近い指定コンテンツをネットワーク上のサーバ３００から検索し、該当コンテンツをダウンロードする。例えば図３において、content１に対してuserＡ、userＣから視聴希望が出された段階ではuserＡの希望する品質の方がuserＣの希望する品質よりも高いため、content１をMiddle品質で取得する。
【００１９】
コンテンツ品質変換部１０８は、コンテンツ管理情報記憶部１０４に保持される削除要求者情報を参照し、各コンテンツに対する視聴希望者からの削除要求をチェックする。削除要求が検出された場合には、該当コンテンツに対する削除要求を出していない視聴希望者の中で最も高い希望品質を検索する。そして、検索された視聴品質がその時点での該当コンテンツの視聴品質よりも低い場合は該当コンテンツの視聴品質を検索された視聴品質に合わせて変換する。
【００２０】
前記のようにして、コンテンツの視聴品質を低減することでコンテンツ記憶部１０９のストレージ空き容量を増加させる。さらに、任意のコンテンツに対して全ての視聴希望者から削除要求が出されたと判断した場合には、コンテンツ品質変換部１０８はコンテンツ記憶部１０９に保持されている該当コンテンツデータ該当コンテンツに関する全ての情報を削除する。例えば図３において、content１に対してuserＡが削除要求を出したことにより、残る視聴希望者はuserＣとなり希望品質は低下する。これにより、コンテンツ品質変換部１０８は、content１の視聴品質をMiddleからLowに低減する。
【００２１】
視聴コンテンツ入力部１１１は、コンテンツ記憶部１０９に対して各視聴者の視聴したいコンテンツ情報を入力する。これにより、コンテンツ記憶部１０９はコンテンツ出力部１１０に対して指定されたコンテンツデータを出力する。
【００２２】
図５は、本実施形態において、削除要求がなされた場合にコンテンツ品質変換部１０８により行われるコンテンツ品質を変換する処理手順の一例を示すフローチャートである。
ステップＳ５０１において、コンテンツ品質変換部１０８は、コンテンツ管理情報記憶部１０４に保持されている削除要求者情報を参照し、管理しているコンテンツに削除要求が含まれているか否かを判定する。
【００２３】
この判定の結果、削除要求が含まれている場合は、ステップＳ５０２において、視聴者全員から削除要求がなされているか否かを判定する。この判定の結果、視聴者全員から削除要求がなされている場合は、ステップＳ５０３に進む。そして、コンテンツ品質変換部１０８はコンテンツ記憶部１０９に保持されている該当コンテンツデータ及び該当コンテンツに関する全ての情報を削除し、コンテンツ品質変換処理を終了する。
【００２４】
一方、ステップＳ５０２の判定の結果、視聴者全員から削除要求がなされていない場合は、ステップＳ５０４において、残る視聴希望者の中で最も高い希望品質が削除されたか否かを判定する。この判定の結果、最も高い希望品質が削除された場合は、ステップＳ５０５に進み、該当するコンテンツの視聴品質を残っている視聴希望者の中で最も高い希望品質に低下させ、その後ステップＳ５０１に戻って前述した処理を繰り返し行う。
【００２５】
一方、ステップＳ５０１の判定の結果、削除要求がない場合は、削除要求が入力されるまで待機する。また、ステップＳ５０４の判定の結果、最も高い希望品質が削除されていない場合も、ステップＳ５０１に戻って削除要求が入力されるまで待機する。
【００２６】
以上のように、本実施形態によれば、コンテンツ毎に視聴希望者の削除要求を管理して、各コンテンツにおける視聴希望者の中で最も高い希望品質とするように、該当コンテンツの品質を変換するようにした。したがって、視聴希望者の希望品質を反映させながら該当コンテンツの容量を削減することができる。これにより、視聴希望者が存在するコンテンツを保護することができるとともに、コンテンツ保存に必要なストレージ量を削減することができる。
【００２７】
前述のように、視聴希望者の中で最も高い品質を基に各コンテンツを取得することにより各視聴希望者の希望品質を満たすとともに、希望品質の低いコンテンツについては低い品質でコンテンツを取得する。したがって、全コンテンツを一律に高い品質で取得する場合よりも必要ストレージ量を削減することができる。
【００２８】
（第２の実施形態）
次に、本実施形態について図２を参照しながら説明する。
図２は、本実施形態におけるコンテンツ視聴装置の機能構成例を示すブロック図である。図２に示す構成においては第１の実施形態の構成に加えて、再生位置取得部１１３及び再生位置記憶部１１２を有している。
【００２９】
再生位置取得部１１３は、視聴コンテンツ入力部１１１から各視聴者の視聴しているコンテンツ情報及び視聴者情報を取得し、コンテンツ記憶部１０９からコンテンツ毎の再生位置情報及びコンテンツ長さを取得する。そして、再生位置記憶部１１２に入力する。
【００３０】
この再生位置情報の管理例を図４に示す。図４に示す例では図３に示す例に加えて、コンテンツ毎のコンテンツ長さ及び再生位置情報を保持している。例えば、６０分のcontent１に対してuserＡは６０分視聴しており、削除要求を出している。また、userＣは１３分２秒視聴している。
【００３１】
コンテンツ品質変換部１０８は、第１の実施形態に示した削除要求情報に基づく視聴品質変換の他に、再生位置記憶部１１２及びコンテンツ管理情報記憶部１０４に記憶されている情報を参照してコンテンツの視聴品質を部分毎に変換する。具体的には、各コンテンツの視聴希望者の再生位置情報を参照し、コンテンツの各区間について未視聴の視聴希望者の中で最も高い希望品質に合わせてコンテンツの各区間の視聴品質を変換する。
【００３２】
以上の手段を適用し、任意のコンテンツの全区間に対して視聴希望者がいなくなった場合はコンテンツ管理情報記憶部１０４、及び再生位置記憶部１１２から該当コンテンツに関する情報を削除する。これによりコンテンツ視聴装置１００は各コンテンツに対して各視聴希望者の視聴希望品質を満たすとともに、各視聴希望者の視聴位置を逐次コンテンツの品質に反映させてコンテンツ容量を減少させる。これにより、コンテンツ記憶部１０９のストレージ空き容量を増加させるようにしている。
【００３３】
図４に示す例では、content１に対してuserＡは既に視聴を終えており、userＣは１３分２秒までの視聴を終えている。これによりcontent１の各区間は、０分０秒〜１３分２秒の間はコンテンツデータを削除し、１３分２秒〜６０分００秒までは品質をLowに変換する。
【００３４】
図６は、本実施形態において、削除要求がなされた場合にコンテンツ品質変換部１０８により行われるコンテンツ品質を変換する処理手順の一例を示すフローチャートである。図６に示すステップＳ６０１〜Ｓ６０３については、図５に示すステップＳ５０１〜Ｓ５０３と同様であるため、説明を省略する。
ステップＳ６０４において、再生位置記憶部１１２から視聴者の再生位置情報を参照して、該当するコンテンツの中で視聴者全員が視聴した区間があるか否かを判定する。
【００３５】
この判定の結果、視聴者全員が視聴した区間がある場合は、ステップＳ６０５に進み、該当するコンテンツの中で視聴者全員が視聴した区間を削除する。一方、ステップＳ６０４の判定の結果、視聴者全員が視聴した区間がない場合は、ステップＳ６０６に進む。
【００３６】
次に、ステップＳ６０６において、該当するコンテンツの中で残った区間について、残る視聴希望者の中で最も高い希望品質が削除されたか否かを判定する。この判定の結果、最も高い希望品質が削除された場合は、ステップＳ６０７に進む。そして、残った区間について、該当するコンテンツの視聴品質を、残っている視聴希望者の中で最も高い希望品質となるように低下させ、その後ステップＳ６０１に戻って前述した処理を繰り返し行う。一方、ステップＳ６０６の判定の結果、最も高い希望品質が削除されていない場合はステップＳ６０１に戻って前述した処理を繰り返し行う。
【００３７】
以上のように本実施形態においては、各コンテンツに対する各視聴希望者の再生位置を参照し、該当コンテンツの各部分の品質を、前記各部分を視聴していない視聴希望者の中で最も高い希望品質となるように、該当コンテンツの品質を変換する。したがって、各コンテンツ部分に対して視聴希望者の希望品質を満たすことができるとともに、各視聴希望者の再生情報を逐次反映して該当コンテンツの容量を削減することができる。
【００３８】
（本発明に係る他の実施形態）
前述した本発明の実施形態におけるコンテンツ視聴装置を構成する各手段、並びにコンテンツ視聴装置の制御方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００３９】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００４０】
なお、本発明は、前述した実施形態の機能を実現するソフトウェアのプログラム（実施形態では図５、６に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００４１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４２】
その場合、プログラムの機能を有していれば、オブジェクトコード、インタプリタにより実行されるプログラム、ＯＳに供給するスクリプトデータ等の形態であってもよい。
【００４３】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００４４】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００４５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４６】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４７】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００４８】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００４９】
【図１】本発明の第１の実施形態におけるコンテンツ視聴装置の機能構成例を示すブロック図である。
【図２】本発明の第２の実施形態におけるコンテンツ視聴装置の機能構成例を示すブロック図である。
【図３】本発明の第１の実施形態におけるコンテンツ管理情報の一例を示す図である。
【図４】本発明の第２の実施形態における再生位置情報の一例を示す図である。
【図５】本発明の第１の実施形態において、削除要求がなされた場合にコンテンツ品質変換部により行われるコンテンツ品質を変換する処理手順の一例を示すフローチャートである。
【図６】本発明の第２の実施形態において、削除要求がなされた場合にコンテンツ品質変換部により行われるコンテンツ品質を変換する処理手順の一例を示すフローチャートである。
【符号の説明】
【００５０】
１００  コンテンツ視聴装置
１０１  視聴希望入力部
１０２  削除要求入力部
１０３  希望品質入力部
１０４  コンテンツ管理情報記憶部
１０６  コンテンツ取得部
１０８  コンテンツ品質変換部
１０９  コンテンツ記憶部
１１０  コンテンツ出力部
１１１  視聴コンテンツ入力部
１１２  再生位置記憶部
１１３  再生位置取得部
２００  放送局
３００  ネットワーク上のサーバ
【図１】
2007300186.tif 000003
【図２】
2007300186.tif 000004
【図３】
2007300186.tif 000005
【図４】
2007300186.tif 000006
【図５】
2007300186.tif 000007
【図６】
2007300186.tif 000008